(57)【特許請求の範囲】
【請求項１】
一定間隔で並列的に配設された複数の根太と、
発熱体を有する根太間設置タイプの床暖房用発熱部材と、
前記床暖房用発熱部材の上に敷設される床仕上材とを備えた床暖房構造であって、
前記床暖房用発熱部材は、前記根太の間に嵌め込まれる、上面に前記発熱体が配設された複数の断熱部材同士を、その上面側で相互に連結するネットからなる連結部材を有しており、
前記床仕上材は、前記床暖房用発熱部材との接触面に、熱伝導性の良好な均熱シートが貼着されていることを特徴とする床暖房構造。
【発明の詳細な説明】
【０００１】
【発明の属する技術分野】
この発明は、発熱体を有する床暖房用発熱部材の上に床仕上材が敷設された床暖房構造に関する。
【０００２】
【従来の技術】
床暖房を行うために、床仕上材の下に敷き込まれる床暖房用発熱部材としては、根太の上に設置される根太上設置タイプと、根太の間に設置される根太間設置タイプとがあるが、根太間設置タイプでは、電気ヒータ等の発熱体が根太間部分にだけ設けられることになるので、床仕上材の根太上部分の温度上昇が望めず、床暖房領域の床面に温度むらが生じるといった問題がある。
【０００３】
このような根太間設置タイプの床暖房用発熱部材を用いる場合の問題点である温度むらの発生を防止するために、例えば、特開平４−２５７６２６号公報に開示された根太間設置タイプの床暖房用発熱部材のように、発熱体である電気ヒータの上に、熱伝導性の良好な均熱板を積層したものがある。
【０００４】
この床暖房用発熱部材は、図４（ａ）に示すように、断熱層５１、下部均熱板５２、電気ヒータ５３、上部均熱板５４及び表面層５５が順次積層されたものであり、電気ヒータ５３の上に積層された前記上部均熱板５４だけが、同図に示すように、一方の根太Ａの上面を覆うように張りだしている。
【０００５】
以上のように構成された床暖房用発熱部材５０を、同図（ｂ）に示すように、根太Ａ間部分に設置された断熱部材Ｂの上に設置すると、上部均熱板５４の張出部分が根太Ａの上面を覆うこととなり、根太Ａ間部分にのみ設けられた電気ヒータ５３の熱が上部均熱板５４を介して根太Ａ上の床仕上材６０部分にまで伝達されるので、床仕上材６０の温度分布の均一化を図ることができる。
【０００６】
【発明が解決しようとする課題】
しかしながら、上述したような根太間設置タイプの床暖房用発熱部材５０を設置した状態では、根太間部分のみならず、根太上部分についても床暖房用発熱部材５０によって覆われてしまうので、床暖房用発熱部材５０の上に床仕上材６０を敷設する際、施工者が床仕上材を釘止めする根太部分を認識することができず、床仕上材６０の敷設作業を効率的に行うことができないといった問題がある。
【０００７】
そこで、この発明の課題は、床暖房領域内における床面の温度むらの発生を防止すると共に、床仕上材の敷設作業を効率よく行うことができる床暖房構造を提供することにある。
【０００８】
【課題を解決するための手段】
上記の課題を解決するため、請求項１に係る発明は、一定間隔で並列的に配設された複数の根太と、発熱体を有する根太間設置タイプの床暖房用発熱部材と、前記床暖房用発熱部材の上に敷設される床仕上材とを備えた床暖房構造であって、前記床暖房用発熱部材は、前記根太の間に嵌め込まれる、上面に前記発熱体が配設された複数の断熱部材同士を、その上面側で相互に連結するネットからなる連結部材を有しており、前記床仕上材は、前記床暖房用発熱部材との接触面に、熱伝導性の良好な均熱シートが貼着されていることを特徴とする床暖房構造を提供するものである。
【０００９】
以上のように構成された床暖房構造では、均熱シートの一部に床暖房用発熱部材が接触することになるので、均熱シートによって床仕上材全体に床暖房用発熱部材の熱が伝達される。
【００１０】
また、床暖房用発熱部材を設置した状態では、根太を含む床暖房領域全体が連結部材によって覆われることになるが、この連結部材はネットによって形成されていると共に均熱シートが床仕上材側に予め貼着されているため、床仕上材を床暖房用発熱部材の上に敷設する際に、設置された床暖房用発熱部材の上から根太部分を明確に認識することができ、根太部分に釘止めしなければならない床仕上材の敷設作業を効率的に行うことができる。
【００１１】
前記均熱シートとしては、８０μｍ以上の厚みを有するアルミニウム箔を使用することが望ましく、アルミニウム箔の厚みは１５０μｍ以下であることが望ましい。均熱シートとして使用されるアルミニウム箔の厚みが８０μｍ以下では、十分な均熱効果が得られず、１５０μｍ以上ではコスト高になるからである。
【００１２】
【発明の実施の形態】
以下、実施の形態について図面を参照して説明する。図２に示すように、この床暖房構造１は、図示しない大引の上に直交するように、一定間隔で並列的に配設された複数の根太Ａと、この根太Ａ間（根太Ａの上）に敷設される根太間設置タイプの床暖房用発熱部材（以下、発熱部材という。）２０と、この発熱部材２０の上に敷設される床仕上材１０とから構成されている。
【００１３】
前記床仕上材１０は、図１に示すように、３プライ合板や５プライ合板等によって形成された基材１１と、この基材１１の上面に貼着された突板等の表面化粧材１２と、前記発熱部材２０との接触面、即ち、基材１１の裏面側に貼着された熱伝導性の良好な均熱シート１３とから構成されており、この床仕上材１０は、接着剤を介して前記発熱部材２０の上面に貼り合わせた状態で、根太Ａ部分に釘止めされる。
【００１４】
前記均熱シート１３は、厚みが８０〜１５０μｍのアルミニウム箔によって形成されており、突板からなる表面化粧材１２の繊維方向と基材１１の表層部分の繊維方向とが相互に直交するようになっている。なお、均熱シート１３としてのアルミニウム箔は、その厚みが８０μｍ以上であれば十分な均熱効果を確保することができ、必要以上に厚くしても均熱効果に差が生じないので、コスト面を考慮すると、アルミニウム箔の厚みは、８０〜１５０μｍに設定しておくことが望ましい。
【００１５】
前記発熱部材２０は、図２に示すように、根太Ａ間に嵌め込まれるように、一定間隔で並列的に配置された、発砲ウレタンブロック等からなる複数の断熱部材２１と、各断熱部材２１の上面にそれぞれ配設された線ヒータからなる電気ヒータ２２と、電気ヒータ２２が配設された複数の断熱部材２１を相互に連結するポリエステル樹脂製ネットからなる連結部材２３とから構成されており、前記連結部材２３は、その裏面側に各断熱部材２１の上面がそれぞれ貼着されることで複数の断熱部材２１を相互に連結するようになっている。なお、断熱部材２１と連結部材２３との間に挟み込まれた電気ヒータ２２は、連結部材２３に接着固定されている。
【００１６】
上述した床暖房構造１は、まず、図示しない大引の上に直交するように、複数の根太Ａを一定間隔で並列的に配設した後、各断熱部材２１を根太Ａ間に嵌め込むようにして根太Ａの上に発熱部材２０を敷きつめ、さらに、その上に床仕上材１０を敷設することにより構成される。
【００１７】
上述したように、床仕上材１０には、根太間設置タイプの発熱部材２０との接触面にアルミニウム箔からなる均熱シート１３が予め貼着されているため、床仕上材１０の電気ヒータ２２が設けられていない根太上部分についても、均熱シート１３を介して電気ヒータ２２の熱が伝達されるので、床暖房領域内の床面における温度むらの発生を防止することができる。
【００１８】
また、前記発熱部材２０を設置した状態では、根太Ａを含む床暖房領域全体が連結部材２３によって覆われることになるが、この連結部材２３はポリエステル樹脂製ネットによって形成されていると共に均熱シート１３が床仕上材１０側に予め貼着されているため、この床仕上材１０を発熱部材２０の上に敷設する際に、設置された発熱部材２０の上から根太Ａ部分を明確に認識することができ、根太Ａ部分に釘止めしなければならない床仕上材１０の敷設作業を効率的に行うことができる。
【００１９】
なお、この実施形態では、上面に電気ヒータ２２が配設された、複数の断熱部材２１を連結部材２３によって相互に連結した発熱部材２０を使用しているが、各根太間毎に分離された発熱部材をそれぞれ設置する通常の根太間設置タイプの発熱部材を使用した場合にも、同様の効果が得られることはいうまでもない。
【００２０】
また、上述した実施形態では、根太間設置タイプの発熱部材を使用した場合について説明したが、例えば、図３に示すように、電気ヒータ３２が内蔵された基板３１の裏面の根太Ａ間部分に補強板３３が貼着された根太上設置タイプの発熱部材３０を使用する場合にも、上述したような裏面に均熱シート１３が貼着された床仕上材１０を使用することにより、隣接する発熱部材３０間に電気ヒータ３２が存在しないことによる温度むらの発生を有効に防止することができ、しかも、床仕上材１０を発熱部材３０の上に敷設する際に、設置された発熱部材３０の上面に施された釘打ち可能領域表示等が明確に把握できるので、床仕上材１０の敷設作業を効率的に行うことができる。なお、この床暖房構造２では、下方側への熱の伝達を防止するため、根太Ａ間部分には断熱部材Ｂが設置されている。
【００２１】
また、上述したような裏面に均熱シート１３が貼着された床仕上材１０を、発熱部材２０、３０が設置された床暖房領域内から外側に張りだすように敷設しておくと、床暖房領域の境界部分（発熱部材２０、３０が設置されていない部分）における床面の急激な温度低下を防止することができるという利点もある。
【００２２】
また、上述した実施形態では、熱伝導性の良好な均熱シート１３として、アルミニウム箔を使用しているが、これに限定されるものではなく、例えば、銅箔、亜鉛箔等の金属箔やアルミニウム板、銅板等の薄い金属板を使用することもできる。
【００２３】
【発明の効果】
以上のように、この発明の床暖房構造では、床仕上材における床暖房用発熱部材との接触面に熱伝導性の良好な均熱シートを貼着する構成を採用したため、床仕上材の一部が床暖房用発熱部材と接触していなくても、床暖房用発熱部材と接触している均熱シートを介して、床仕上材全体に床暖房用発熱部材の熱が伝達されるので、床暖房領域内における床面の温度むらを有効に防止することができる。
【００２４】
また、この床仕上材を使用すれば、根太間設置タイプの床暖房用発熱部材を使用する場合であっても、根太部分にまで張りだすような均熱シートを床暖房用発熱部材側に設ける必要がなく、床暖房用発熱部材における根太の間に嵌め込まれる、上面に発熱体が配設された複数の断熱部材同士を、その上面側で相互に連結している連結部材がネットによって形成されているので、床暖房用発熱部材を設置した状態でも施工者が根太部分を明確に認識することができ、床仕上材の敷設作業を効率的に行うことができる。
【図面の簡単な説明】
【図１】この発明にかかる床仕上材の一実施形態を示す断面図である。
【図２】同上の床仕上材を用いた床暖房構造を示す断面図である。
【図３】同上の床仕上材を用いた他の床暖房構造を示す断面図である。
【図４】（ａ）は従来の床暖房用発熱部材を示す断面図、（ｂ）は従来の床暖房用発熱部材を用いた床暖房構造を示す断面図である。
【符号の説明】
１０  床仕上材
１１  基材
１２  表面化粧材
１３  均熱シート
２０、３０  床暖房用発熱部材
Ａ  根太
【図１】
0004068211.tif 000002
【図２】
0004068211.tif 000003
【図３】
0004068211.tif 000004
【図４】
0004068211.tif 000005